(57)【要約】      （修正有）【課題】鎌の柄に関し、汗などで滑ったり回転しにくく、確実に握り易い柄を実現すると共に、草などの根元から刈取り易い、かつ壁掛け状態で安定性の良い鎌を提供する。【解決手段】鎌の柄３として、断面形状を半円状に形成してあるため、従来の断面形状が円形や楕円形の柄と違って、握って作業する際に、汗などで滑り難く、回転もしにくいという利点があり、安定性が良く確実に握れるし、安全でもある。その結果、作業に集中でき、能率的であると共に、疲れにくい。また、刃部本体１の背面側に前記半円状柄３の平坦面側が位置しているため、草刈りなどの際に、刃部本体１の背面も柄３の平坦面も共に地面とほぼ一致し、かつ平行状態となるので、草などのちょうど根元の位置で切断できる。厚肉部に開けた円形穴５による壁掛け状態での安定性も良くなる。【選択図】図１
0003143954.tif 000002
【実用新案登録請求の範囲】
【請求項１】
断面形状を半円状に形成してなることを特徴とする鎌の柄。
【請求項２】
半径の小さい凹溝を複数形成して、手で握った際に滑り難くしてあることを特徴とする請求項１に記載の鎌の柄。
【請求項３】
刃部本体の背面側に前記半円状柄の平坦面側が位置していることを特徴とする請求項１または請求項２に記載の鎌。
【請求項４】
刃部本体の根元に形成した柄挿入用の環状部の正面側に通気穴を開け、背面側にネジ穴を開けてあることを特徴とする請求項１、請求項２または請求項３に記載の鎌。
【請求項５】
刃部本体の厚肉部に１以上の円形穴を開けてあることを特徴とする請求項１から請求項４までのいずれかに記載の鎌。
【考案の詳細な説明】
【技術分野】
【０００１】
本考案は鎌の柄の形状に関し、断面形状を半円状に形成して、その平坦面側を背面向きにした鎌を実現する。
【背景技術】
【０００２】
実用新案登録第３０６９９５６号において、草刈り鎌による草刈り作業を身体的に楽に、かつ効率よく行うことが出来るように、草刈り鎌刃部本体に、通常の内刃に加えて外刃と先刃とを形成して３方向に刃を設け、３方向の切断を可能にした構成が提案されている。
さらに、中央部には一連の穴をあけて、鎌本体を軽量化してあるので、身体的に楽に草刈り作業が出来、又、土、その他の付着物が付きにくくなり、そして、取り除くのも容易になる。
【特許文献１】実用新案登録第３０６９９５６号
【考案の開示】
【考案が解決しようとする課題】
【０００３】
従来の草刈り鎌は、特許文献１記載の場合と同様に、刃部本体を木製やアルミパイプ製、硬質ゴム製などで片手で握れる程度の太さをした丸形の棒の一端に切れ込みを入れ、その部分を口金環でしめつけ、刃部本体と柄部を完全に固着する構造になっている。
このように通常の草刈り鎌の柄部は丸形の棒になっているので、汗で滑りやすいという問題があり、長時間の作業に適しない。しかも、回転し易く、安定性も悪いので、確実に握れるように神経を集中するので、作業能率が低下すると共に、万一滑ったり回転した場合は危険でもある。
本考案の技術的課題は、このような問題に着目し、鎌の柄において、汗などで滑ったり回転しにくく、安定性の良い、確実に握り易い柄を実現すると共に、草などの根元から刈取り易い、かつ壁掛け状態で安定性の良い鎌を実現することにある。
【課題を解決するための手段】
【０００４】
本考案の技術的課題は次のような手段によって解決される。請求項１は、断面形状を半円状に形成してなることを特徴とする鎌の柄である。
このように、鎌の柄として、断面形状を半円状に形成してあるため、従来の断面形状が円形や楕円形の柄と違って、握って作業する際に、汗などで滑り難く、回転もしにくいという利点があり、安定性が良く確実に握れるし、安全でもある。その結果、作業に集中でき、能率的であると共に、疲れにくい。
【０００５】
請求項２は、半径の小さい凹溝を複数形成して、手で握った際に滑り難くしてあることを特徴とする請求項１記載の鎌の柄である。
このように、請求項１記載の柄に、半径の小さい凹溝を複数形成してあるため、握った際の滑り止めとして機能し、使用時の滑り防止がより確実となる。真円の棒の状態で凹溝を形成してから、２等分して半円柱状に形成すれば足りるので、半径の小さい凹溝を複数形成するのは容易である。
【０００６】
請求項３は、刃部本体の背面側に前記半円状柄の平坦面側が位置していることを特徴とする請求項１または請求項２に記載の鎌である。
このように、刃部本体の背面側に前記半円状柄の平坦面側が位置しているため、草刈りなどの際に、刃部本体の背面も柄の平坦面も共に地面とほぼ一致し、かつ平行状態となるので、草などのちょうど根元の位置（地表すれすれの位置）で切断できる。
従って、従来のように切断刃部が地中に入り込んで、その刃先が切れなくなるのを防止でき、長寿命の鎌となる。
【０００７】
請求項４は、刃部本体の根元に形成した柄挿入用の環状部の正面側に通気穴を開け、背面側にネジ穴を開けてあることを特徴とする請求項１、請求項２または請求項３に記載の鎌である。
このように、刃部本体の根元に形成した柄挿入用の環状部の背面側にネジ穴を開けてあるので、木ねじで柄部と連結し、刃部本体と柄とを確実に固定でき、長時間使用して取付け部が緩くなったりしても、離脱するのを未然に防止できる。従って、緩くなったことに気づいた時点で、修理することによって、安全かつ能率的に作業を続行できる。
また、環状部の正面側に通気穴を開けて通気性を良くしてあるので、環状部中の木製柄の腐朽が抑制され、裏側の木ねじによる固定力の低下を未然に防止できる。
【０００８】
請求項５は、刃部本体の厚肉部に１以上の円形穴を開けてあることを特徴とする請求項１から請求項４までのいずれかに記載の鎌である。
このように、刃部本体の厚肉部に１以上の円形穴を開けてあるため、刃部本体を軽量化できる。その結果、遠心力で刃部本体が抜ける危険が少なくなる。また、使用者によっては、重過ぎるという問題を解消できる。
さらに、請求項３のように、刃部本体の背面側に前記半円状柄の平坦面側が位置することで、従来の丸形柄のように背面側に突出しないので、壁などに打ち込んだ釘などに円形穴を引っ掛けた際に、壁面などに刃部本体と半円状柄の平坦面側がぴったりと密着可能となり、壁面に引っ掛けた鎌がブラブラせず、安定良く引っ掛け支持される。その結果、容易に離脱して脱落する危険が少なく、安全である。
【考案の効果】
【０００９】
請求項１のように、鎌の柄が、断面形状を半円状に形成してあるため、従来の断面形状が円形や楕円形の柄と違って、握って作業する際に、汗などで滑り難く、回転もしにくいという利点があり、安定性が良く確実に握れるし、安全でもある。その結果、作業に集中でき、能率的であると共に、疲れにくい。
【００１０】
請求項２のように、前記の柄に、半径の小さい凹溝を複数形成してあるため、握った際の滑り止めとして機能し、使用時の滑り防止がより確実となる。真円の棒の状態で凹溝を形成してから、２等分して半円柱状に形成すれば足りるので、半径の小さい凹溝を複数形成するのは容易である。
【００１１】
請求項３のように、刃部本体の背面側に前記半円状柄の平坦面側が位置しているため、草刈りなどの際に、刃部本体の背面も柄の平坦面も共に地面とほぼ一致し、かつ平行状態となるので、草などのちょうど根元の地表すれすれの位置で切断できる。
従って、従来のように切断刃部が地中に入り込んで、その刃先が切れなくなるのを防止でき、長寿命の鎌となる。
【００１２】
請求項４のように、刃部本体の根元に形成した柄挿入用の環状部の背面側にネジ穴を開けてあるので、木ねじで柄部と連結し、刃部本体と柄とを確実に固定でき、長時間使用して取付け部が緩くなったりしても、離脱するのを未然に防止できる。従って、緩くなったことに気づいた時点で、修理することによって、安全かつ能率的に作業を続行できる。
また、環状部の正面側に通気穴を開けて通気性を良くしてあるので、環状部中の木製柄の腐朽が抑制され、裏側の木ねじによる固定力の低下を未然に防止できる。
【００１３】
請求項５のように、刃部本体の厚肉部に１以上の円形穴を開けてあるため、刃部本体を軽量化できる。その結果、遠心力で刃部本体が抜ける危険が少なくなる。また、使用者によっては、重過ぎるという問題を解消できる。
さらに、請求項３のように、刃部本体の背面側に前記半円状柄の平坦面側が位置することで、従来の丸形柄のように背面側に突出しないので、壁などに打ち込んだ釘などに円形穴を引っ掛けた際に、壁面などに刃部本体と半円状柄の平坦面側がぴったりと密着可能となり、壁面に引っ掛けた鎌がブラブラせず、安定良く引っ掛け支持される。その結果、容易に離脱して脱落する危険が少なく、安全である。
【考案を実施するための最良の形態】
【００１４】
次に本考案による鎌の半円状柄が実際上どのように具体化されるか実施形態を説明する。図１は、本考案による柄を取付けた鎌の正面図である。１は刃部本体であり、取付け環２中に、木製の柄３の一端を挿入し、裏面から木ねじ４で固定してある。刃部本体１の斜面状の刃部１２以外が厚肉部で、軽量化のための穴５を複数個開けてある。
【００１５】
図２は刃部本体１の平面図であり、刃部本体１のつけ根側１１を折り返して半円状の円弧部２１を形成し、つけ根側１１と円弧部２１とで、取付け環２を形成している。なお、つけ根側の平坦面１１に開けたねじ穴１１ｈから木ねじ４を挿入し、木製柄３にねじ込み固定する。
取付け環２が半円状をしているため、半円状の取付け環２中に挿入し固定される柄３も、図３のように半円状の平面形状をしている。
【００１６】
図４は、図２の刃部本体１の正面図であり、刃部本体１の厚肉部に軽量化の目的で、大小の穴５…を開けてある。１２は刃部（ブレード）であり、１３は尖った刃先である。また、円弧部２１には窓穴２２を開けて通気性を良くしてあるので、取付け環２中の木製柄３の腐朽を抑制し、裏側の木ねじＳによる固定力の低下を防止できる。
図５は、図３の柄３の正面図である。柄３の上端は、外径が細めになるように、多少削ってから、前記の取付け環２中に挿入する。そして、柄３の先端に楔９を打ち込む。その結果、使用中に取付け環２に対し柄３が緩くなるのを防止できる。
【００１７】
図６は、半円柱状の柄３の製造方法を示す平面図（１）と正面図（２）である。旋盤などで、真円の棒体６を形成するのは容易である。
真円に切削加工する際に、柄の握る領域に多数の凹溝７…を形成しておくことも容易である。
こうして真円棒６を形成してから、鎖線６１の部分を鋸でカットして２分割し、２等分すると、図１、図３、図５のような半円状柄３が２本完成する。
図６（３）は、２等分した後の柄３の底面図であり、手で握る領域において、半円柱体の円弧状部３１と平坦部３２との間の角部を削り取って、丸み３３を付けることによって、握った際に痛くならないようにしてある。
【００１８】
図７は、本考案による鎌で草８を刈り取る状態を示す図で、図１のＡ−Ａ位置の断面を示している。鎖線で示すように、刃部本体１の背面側、すなわち地面ｅ側には、何ら突出する部分は存在しない。柄３は半円状であって、その半円状部は、刃部本体１より上側に位置するので、従来の真円の柄のように、下側半分が刃部本体１より下側に位置することはあり得ない。
その結果、刃部本体１の背面が地面ｅすれすれの位置で、草８の根元を切断できる。つまり、刃部本体１の背面側に、前記半円状柄３の平坦面32側が位置しているため、草刈りなどの際に、刃部本体１の背面が地面ｅとほぼ一致し、かつ平行状態となるので、草８のちょうど根元の地面すれすれの位置を切断できる。
従って、従来のように刃部１２が地中に入り込んで、その刃先が切れなくなるのを防止できる。
【００１９】
本考案の鎌の柄３は半円状であり、しかも凹溝７…によって、滑り防止が確実となるため、力を入れて大振りする恐れがある。その結果、遠心力が作用して、刃部本体１が柄３から離脱する力が発生する。
ところが、軽量化すべく穴５を開けてあるので、遠心力が小さくなり、離脱力を軽減できる。また、力の弱い人が使用する場合は、刃部本体１が軽くなることで作業が楽になり、疲れ難い。
【００２０】
図示例は、右利き用の構成であるが、左利き用の場合は、刃部本体１を左右に反転して刃先１３を右向きにした状態で、柄３の平坦面３２が下向きとなる構成にする。
図示例では、取付け環２に柄３を挿入する構造であるが、従来のように刃部本体１の根元にＬ字状の取付け板を一体形成し、かつねじ穴を開けておいて、木ねじで木製柄の平坦面に重ねて取付け固定することも可能である。
このＬ字状の取付け板や前記の取付け環２は、刃部本体１の厚肉部より薄く形成可能である。
なお、刃部本体１は背面側を平坦にし、正面側の刃部１２を斜面に研いで刃を形成する。刃部本体１の材質は特に限定されない。
【産業上の利用可能性】
【００２１】
以上のように、本考案によると、鎌の柄の部分が半円状をしているため、従来のように汗で滑ったり回転し易いという問題が解消され、安全であると共に作業能率も上がる。また、半円状柄の背面が平坦なため、草などの根元の切断が容易になり、鎌掛け時の安定性も向上する。
【図面の簡単な説明】
【００２２】
【図１】本考案による柄を取付けた鎌の正面図である。
【図２】刃部本体の平面図である。
【図３】半円状柄の平面図である。
【図４】図２の刃部本体の正面図である。
【図５】図３の柄の正面図である。
【図６】半円状柄の製造方法を示す図で、（１）は真円棒の平面図、（２）は真円棒の正面図、（３）は半円状柄の角を丸めた状態を示す底面図である。
【図７】本考案による鎌で草を刈り取る状態を示すＡ−Ａ断面図である。
【符号の説明】
【００２３】
１  刃部本体
11  つけ根側の平坦面
11ｈ  ねじ穴
２  取付け環
21  円弧部
22  窓穴
３  断面形状が半円状の木製の柄
31  円弧状部
32  平坦部
４  木ねじ
５  軽量化穴
６  真円の棒体
７  凹溝
８  草
ｅ  地面
９  楔
【図１】
0003143954.tif 000003
【図２】
0003143954.tif 000004
【図３】
0003143954.tif 000005
【図４】
0003143954.tif 000006
【図５】
0003143954.tif 000007
【図６】
0003143954.tif 000008
【図７】
0003143954.tif 000009